(57)【特許請求の範囲】
【請求項１】
外側固定接点および中央固定接点をインサート成形により固定し、外周に複数の結合用ダボを有する成形樹脂製の接点基板と、上記外側固定接点の周囲に設けられた周囲壁の凹部で位置決めされて上記外側固定接点上に載せられた周縁部の中央に上方に突出した舌片状接点部を有する弾性金属薄板製の可動接点体と、ゴム等の弾性材料からなるドーム形状の中央頂点部の上下面に突起を有し、下端部が上記可動接点体の周縁部上に載せられたばね体と、このばね体のドーム状頂点部上面突起上に載せられた平板部の外周から下方に上記ばね体のドーム部外周を囲うように形成された円筒部の外周部下端で上記接点基板の周囲壁の凹部に対応する方向の二ヶ所に爪部を有し、その爪部と直交する方向の二ヶ所に上下方向全長に亘る一定寸法の突出部を有する押しボタンと、この押しボタンの円筒部外径よりもやや大きい内径の筒状に形成されて上記押しボタンを突出させて配され、その内周に上記押しボタンの爪部と係合して上記押しボタンの上方への抜け止め部を形成する二つの上下溝を有すると共に、上記押しボタンの突出部と嵌合し上記押しボタンを上下動可能に保持するガイド溝を有し、上記接点基板の外周に設けた結合用ダボをカシメることにより固定されたケースからなるプッシュオンスイッチ。
【請求項２】
接点基板上の外側固定接点付近を除いた部分に、ばね体下端部の当接部外側に接して押しボタンの円筒部下端の下方への押し止めとなる円弧状のリブを設けた請求項１記載のプッシュオンスイッチ。
【請求項３】
ばね体のドーム状頂点部上面突起が当接する押しボタンの平板部下面中央を、この突起よりも少し大きい径の凹みとした請求項１記載のプッシュオンスイッチ。
【請求項４】
ケースの下端面と当接する接点基板の周囲壁の上面に凹溝または段差を設けた請求項１記載のプッシュオンスイッチ。
【発明の詳細な説明】
【０００１】
【発明の属する技術分野】
本発明は、各種電子機器の操作ボタンに使用される操作ストロークの長いプッシュオンスイッチに関するものである。
【０００２】
【従来の技術】
近年、電子機器の小型・高級化に伴って、使用されるプッシュオンスイッチ等の電子部品においても、小型・薄型でかつ操作フィーリングがよいと共に、誤操作をし難い長ストロークのものに対する要望が高まっている。
【０００３】
従来の長ストロークのプッシュオンスイッチとしては、特開平３−２１４５１９号公報に開示されたものが知られており、その構成を図８および図９を用いて説明する。
【０００４】
図８は上記従来のプッシュオンスイッチを示す正面断面図であり、同図において、１は成形樹脂製の箱形のスイッチケースで、その底面には接続端子２Ａと連結して二ヶ所に配された外側固定接点２および接続端子３Ａと連結した中央固定接点３がインサート成形により固定され、二ヶ所の外側固定接点２の上には弾性金属薄板製の可動接点体４が載せられている。
【０００５】
この可動接点体４は、図９（ａ）平面図、（ｂ）正面図に示すように、弾性金属薄板の中央に打抜き形成された舌片状接点部４Ａを根元部４Ｂで折り曲げて上方に突出させたものであり、この可動接点体４の周縁部４Ｃが外側固定接点２上に載せられて接触し、中央の舌片状接点部４Ａが中央固定接点３と対向してスイッチ接点を構成している。
【０００６】
そして、６はゴム等の弾性材料からなる円錐形のドーム状のばね体で、ドーム部外周下端部６Ａが上記可動接点体４の周縁部４Ｃ上面に載ると共に、中央上部の突起６Ｂ上には押しボタン７が載せられている。
【０００７】
この押しボタン７は、その下部７Ａ外周が上記スイッチケース１の壁部１Ａ内周により傾かないで上下動できるように嵌合保持されると共に、外周二ヶ所の突起７Ｂがスイッチケース１の壁部１Ａの内周の上下溝１Ｂにより回り止めおよび上方への抜け止めをされている。
【０００８】
次に、このプッシュオンスイッチの動作は、使用機器の操作ボタン（図示せず）で押しボタン７の上面を押して、押しボタン７がスイッチケース１内のドーム状のばね体６を下方に押し撓めることにより、ドーム状のばね体６がクリック感を伴いながら弾性変形し、その中央下方の突部６Ｃが可動接点体４の中央の舌片状接点部４Ａを下方に押し込むことによって舌片状接点部４Ａの裏面が中央固定接点３に当たり、外側固定接点２と中央固定接点３の間、すなわち接続端子２Ａと３Ａの間が導通されるものであり、この後、押しボタン７を押す力を除くと、ドーム状のばね体６および可動接点体４の弾性復元力によって元の図８の状態に復帰し、接続端子２Ａと３Ａの間は再びオープン状態となる。
【０００９】
【発明が解決しようとする課題】
しかしながら、上記従来の構成のプッシュオンスイッチでは、押しボタン７がスイッチケース１内のドーム状のばね体６を下方に押し撓めることによってドーム状のばね体６はクリック感を生じるが、押しボタン７が傾かないで上下動可能なようにスイッチケース１の壁部１Ａ内周に嵌合保持されるためには、押しボタン７の下部７Ａの厚みＨ１が大きくなること、およびスイッチを確実に動作させるには押しボタン７のスイッチケース１からの突出部７Ｃの寸法Ｈ２はスイッチの動作ストロークよりも大きくする必要があり、スイッチの高さを低くすることに制限があるという課題を有したものであった。
【００１０】
また、スイッチケース１の壁部１Ａの内周に抜け止め付きの上下溝１Ｂを成形樹脂で高精度に形成することは難しく、特に小型品においては困難であるという課題もあった。
【００１１】
本発明はこのような従来の課題を解決するものであり、小型・薄型でかつ製作が容易で、しかも操作フィーリングのよい長ストロークのプッシュオンスイッチを提供することを目的とするものである。
【００１２】
【課題を解決するための手段】
上記課題を解決するために本発明のプッシュオンスイッチは、上面にスイッチ接点を有する接点基板上に載せられたドーム形状のばね体に対し、上記ばね体上部に載せる押しボタンを、上端平板部外周から下方に上記ばね体の外周を囲う円筒部を備えたものとすると共に、その円筒部の外周部下端の二ヶ所に爪部を、またその爪部と直交する方向の二ヶ所に上下方向全長に亘る突出部を備えさせたものとし、その押しボタンの円筒部を突出させて、上記押しボタンの爪部が係合されて上方への抜け止め部を形成する上下溝ならびに上記突出部を嵌合して上記押しボタンを上下動可能に保持するガイド溝を内側に設けた筒状のケースを配して、上記押しボタンを上下動可能に保持させる構成としたものである。
【００１３】
この本発明により、高さ寸法が低いと共に、製作が容易で、しかも押しボタンの上下動がスムーズな長ストロークのプッシュオンスイッチを実現することができる。
【００１４】
【発明の実施の形態】
本発明の請求項１に記載の発明は、外側固定接点および中央固定接点をインサート成形により固定し、外周に複数の結合用ダボを有する成形樹脂製の接点基板と、上記外側固定接点の周囲に設けられた周囲壁の凹部で位置決めされて上記外側固定接点上に載せられた周縁部の中央に上方に突出した舌片状接点部を有する弾性金属薄板製の可動接点体と、ゴム等の弾性材料からなるドーム形状の中央頂点部の上下面に突起を有し、下端部が上記可動接点体の周縁部上に載せられたばね体と、このばね体のドーム状頂点部上面突起上に載せられた平板部の外周から下方に上記ばね体のドーム部外周を囲うように形成された円筒部の外周部下端で上記接点基板の周囲壁の凹部に対応する方向の二ヶ所に爪部を有し、その爪部と直交する方向の二ヶ所に上下方向全長に亘る一定寸法の突出部を有する押しボタンと、この押しボタンの円筒部外径よりもやや大きい内径の筒状に形成されて上記押しボタンを突出させて配され、その内周に上記押しボタンの爪部と係合して上記押しボタンの上方への抜け止め部を形成する二つの上下溝を有すると共に、上記押しボタンの突出部と嵌合し上記押しボタンを上下動可能に保持するガイド溝を有し、上記接点基板の外周に設けた結合用ダボをカシメることにより固定されたケースからなる構成としたものであり、高さ寸法が低く、製作が容易で、しかも操作フィーリングのよい長ストロークのプッシュオンスイッチを実現できるという作用を有する。
【００１６】
請求項２に記載の発明は、請求項１記載の発明において、接点基板上の外側固定接点付近を除いた部分に、ばね体下端部の当接部外側に接して押しボタンの円筒部下端の下方への押し止めとなる円弧状のリブを設けた構成としたものであり、スイッチ動作時のばね体下端部の外方への拡がりを抑えると共に、押しボタンの下方への動作ストロークを確実に規制できるという作用を有する。
【００１８】
請求項３に記載の発明は、請求項１記載の発明において、ばね体のドーム状頂点部上部突起が当接する押しボタンの平板部下面中央を、この突起よりも少し大きい径の凹みとした構成のものであり、押しボタンとばね体のドーム状頂点部相互の位置決めが安定し、スイッチ動作時においても両者の位置がずれないという作用を有する。
【００２０】
請求項４に記載の発明は、請求項１記載の発明において、ケースの下端面と当接する接点基板の周囲壁の上面に凹溝または段差を設けた構成としたものであり、本プッシュオンスイッチを使用機器の配線基板に装着する際に、半田フラックス等が毛細管現象によりスイッチ内部へ浸入することを、この部分で止めることができるという作用を有する。
【００２１】
以下、本発明の一実施の形態について、図１〜図７を用いて説明する。
なお、本実施の形態において、従来の技術の項で説明したものと同じ構成の部分については同じ番号を付して詳細な説明を省略する。
【００２２】
図１は同実施の形態によるプッシュオンスイッチを示す正面断面図、図２は同分解斜視図であり、同図において、１１は成形樹脂製の接点基板で、従来の技術のスイッチケース１の底面と同様に、その平面部に接続端子２Ａと連結して二ヶ所に配された外側固定接点２および接続端子３Ａと連結した中央固定接点３がインサート成形により固定され、外側固定接点２の周囲は外側固定接点２よりも僅かに低くなると共に、その外周には四つの結合用ダボ１１Ａが上方に向けて設けられている。
【００２３】
そして、二ヶ所の外側固定接点２の上には、従来の技術と同様に、中央に舌片状接点部１２Ａが突出した弾性金属薄板製の可動接点体１２が載せられているが、この可動接点体１２の周縁部１２Ｂのうち外側固定接点２上に載る突出部１２Ｃが外方に突出し、接点基板１１の外側固定接点２の周囲に設けられた周囲壁の凹部１１Ｂにはまり込んで位置決めされている。
【００２４】
そして、この可動接点体１２の周縁部１２Ｂ上に、ゴム等の弾性材料からなる円錐形のドーム状のばね体１３の外周下端部１３Ａが載せられていることは従来の技術と同様であるが、図３の側面断面図に示すように、ばね体１３の外周下端部１３Ａは接点基板１１上に設けられた二つの円弧状のリブ１１Ｃによって位置決めされている。
【００２５】
さらに、ばね体１３のドーム部中央頂点部上面の突起１３Ｂの上には押しボタン１４が載せられ、その平板部１４Ａ下面中央の凹み１４Ｂに上記ばね体１３の突起１３Ｂがはまり込んでいる。
【００２６】
この押しボタン１４の平板部１４Ａの外周から下方には、ばね体１３のドーム部外周を囲うように円筒部１４Ｃが形成され、その外周部下端には、接点基板１１の周囲壁の凹部１１Ｂに対応する方向の二ヶ所に外方へ突出した爪部１４Ｄが設けられている。
【００２７】
そして、図４の正面図に示すように、この押しボタン１４の円筒部１４Ｃは、前記の結合用ダボ１１Ａをカシメることにより接点基板１１に固定された筒状のケース１５により上下動可能に保持されており、図１に示すように、上記二つの爪部１４Ｄはその内周の二つの上下溝１５Ａに係合して、押しボタン１４の上方への抜け止め部を形成している。
【００２８】
さらに、押しボタン１４の円筒部１４Ｃの外周には、上記爪部１４Ｄと直交する方向の二ヶ所に上下方向全長に亘る一定寸法の突出部１４Ｅが設けられており、これをケース１５内周のガイド溝１５Ｂと嵌合することによって、押しボタン１４がスムーズに上下動できるようになっている。
【００２９】
本実施の形態によるプッシュオンスイッチは以上のように構成されるものであるが、このプッシュオンスイッチの動作は、図５の使用状態の断面図に示すように、使用機器の配線基板１６に装着された状態において、使用機器の操作ボタン１７を介して押しボタン１４の上面を押すことにより、押しボタン１４が接点基板１１上のドーム状のばね体１３を下方に押し撓めることによってばね体１３がクリック感を伴いながら弾性変形し、そのドーム形状の中央頂点部下面の突起１３Ｃが可動接点体１２の中央の舌片状接点部１２Ａを下方に押し込むことによって舌片状接点部１２Ａの裏面が中央固定接点３に当たり、外側固定接点２と中央固定接点３の間、すなわち接続端子２Ａと３Ａの間が接続されるものである。
【００３０】
この時、ドーム状のばね体１３の外周下端部１３Ａは、可動接点体１２の周縁部１２Ｂを下方の外側固定接点２およびその周囲に強く押しつけるが、外側固定接点２はその周囲よりも僅かに高くなっているので、可動接点体１２と外側固定接点２は確実に接触し、可動接点体１２が変形することはない。
【００３１】
そして、押しボタン１４の下方への動きは、その円筒部１４Ｃの下端が接点基板１１上の円弧状のリブ１１Ｃの上面に当たることによって止まるようにしており、この後、操作ボタン１７を介して押しボタン１４に加えていた押し力を除くと、ドーム状のばね体１３および可動接点体１２の弾性復元力によって元の図１の状態に復帰し、接続端子２Ａと３Ａの間が再びオープン状態となることは従来の技術の場合と同様である。
【００３２】
なお、上記図３において、中央固定接点３の端部が下方へ湾曲した構成としているのは、接点基板１１へのインサート成形による固定をより強固にするための抜け止め対策を目的としたものである。
【００３３】
なお、図６の使用状態の外観図に示すように、押しボタン１８の平板部１８Ａ上面中央に小径の突出部１８Ｂを設けることにより、使用機器の操作ボタン１７を介して押しボタン１８を押す際に、常にその中央部を押すことができて、より安定したプッシュ操作をすることができるようになるものである。
【００３４】
また、図７の接点基板の斜視図に示すように、ケース１５の下端面と当接する接点基板１９の周囲壁の上面に凹溝（または段差）１９Ａを設けておくことにより、本プッシュスイッチを使用機器の配線基板１６に装着する際に、半田フラックス等が毛細管現象によりスイッチ内部へ浸入することを、この部分で完全に止めることができるものである。
【００３５】
【発明の効果】
以上のように本発明による構成としたものであれば、高さ寸法が低く、製作が容易で、かつ使用機器へ装着時のトラブルが少なく、しかも操作フィーリングのよい長ストロークのプッシュオンスイッチを実現することができるという有利な効果が得られる。
【図面の簡単な説明】
【図１】本発明の一実施の形態によるプッシュオンスイッチを示す正面断面図
【図２】同分解斜視図
【図３】同側面断面図
【図４】同正面図
【図５】同使用時に操作ボタンを押した状態を示す正面断面図
【図６】同押しボタンの上面に小径の突出部を設ける場合を示す正面図
【図７】同周囲壁上面に凹溝を設けた接点基板を示す斜視図
【図８】従来のプッシュオンスイッチを示す正面断面図
【図９】（ａ）同可動接点体を示す平面図
（ｂ）同正面図
【符号の説明】
２  外側固定接点
２Ａ，３Ａ  接続端子
３  中央固定接点
１１，１９  接点基板
１１Ａ  ダボ
１１Ｂ  凹部
１１Ｃ  リブ
１２  可動接点体
１２Ａ  舌片状接点部
１２Ｂ  周縁部
１２Ｃ  突出部
１３  ばね体
１３Ａ  外周下端部
１３Ｂ，１３Ｃ  突起
１４，１８  押しボタン
１４Ａ，１８Ａ  平板部
１４Ｂ  凹み
１４Ｃ  円筒部
１４Ｄ  爪部
１４Ｅ，１８Ｂ  突出部
１５  ケース
１５Ａ  上下溝
１５Ｂ  ガイド溝
１６  配線基板
１７  操作ボタン
１９Ａ  凹溝
【図１】
0003794068.tif 000002
【図２】
0003794068.tif 000003
【図３】
0003794068.tif 000004
【図４】
0003794068.tif 000005
【図５】
0003794068.tif 000006
【図６】
0003794068.tif 000007
【図７】
0003794068.tif 000008
【図８】
0003794068.tif 000009
【図９】
0003794068.tif 000010